(57)【特許請求の範囲】
【請求項１】
第１トレンチが形成された第１脚部材及び第２トレンチが形成された第２脚部材を備える第１脚部材対と、
第３トレンチが形成された第３脚部材及び第４トレンチが形成された第４脚部材を備える第２脚部材対と、
前記第１脚部材対の前記第１トレンチ及び前記第２トレンチに締まりばめにより嵌め込まれ、上方に突起が形成された第１横部材と、
前記第２脚部材対の前記第３トレンチ及び前記第４トレンチに締まりばめにより嵌め込まれ、上方に突起が形成された第２横部材と、
前記第１横部材及び前記第２横部材の突起が貫通可能な開口が形成された着座板部材と、
前記１脚部材及び前記第２脚部材の上部に前記１脚部材及び前記第２脚部材の上端が嵌め込まれる凹溝が形成され、一方の端に水平方向の溝が形成されたひじ掛け部材と、
前記ひじ掛け部材の水平方向の溝に嵌め込まれる突起が突設された背もたれ部材と、
を備え、
前記第１トレンチ及び前記第２トレンチは第１同心軸上に位置し、前記第３トレンチ及び前記第４トレンチは第２同心軸上に位置し、前記第１トレンチ及び前記第２トレンチからなる前記第１同心軸と前記第３トレンチ及び前記第４トレンチからなる前記第２同心軸は平行であることを特徴とする組立式椅子。
【請求項２】
前記着座板部材は、上部の表面が尻部の形状と対応するように凹まれることを特徴とする請求項１に記載の組立式椅子。
【請求項３】
前記着座板部材は、尻部の形状と対応するように凹まれる両尻部と対応する位置と、肛門部位と対応する位置とにそれぞれ孔が形成されたことを特徴とする請求項２に記載の組立式椅子。
【請求項４】
前記両尻部の骨と対応する位置に孔が形成され、前記肛門部位と対応する位置に孔が形成され、前記肛門部位と対応する位置に形成された孔の方が、前記両尻部の骨と対応する位置に形成された孔よりも高く形成されて互いに三角形状を形成することを特徴とする請求項３に記載の組立式椅子。
【請求項５】
前記組立式椅子は、前記着座板部材の両尻部と対応する位置及び肛門部位と対応する位置にそれぞれ形成された孔と対応する位置に開孔が形成された座布団をさらに備えることを特徴とする請求項３に記載の組立式椅子。
【請求項６】
前記座布団には、４角部と中央部に固定可能に２本１対の固定紐が形成されたことを特徴とする請求項５に記載の組立式椅子。
【請求項７】
前記第１脚部材対において、下方へ進むほど前記第１脚部材と前期第２脚部材との間隔が広くなり、
前記第２脚部材対において、下方へ進むほど前記第３脚部材と前期第４脚部材との間隔が広くなることを特徴とする請求項２に記載の組立式椅子。
【発明の詳細な説明】
【技術分野】
【０００１】
本発明は組立式椅子に係り、さらに詳しくは、別途の固定手段なしに機構的に連結して誰でも簡単に組み立てることができ、身体と接触する部分である着座板部材と背もたれ部材に通気孔を形成して汗などの分泌物の発生を抑えるとともに、硬い材質である場合に着座時に尻部骨が着座板の表面にぶつかる場合があるが、このような欠点を緩和させる超簡便な健康用の組立式椅子に関する。
【背景技術】
【０００２】
通常の組立式椅子は、中央に回転軸を中心として回動されるレッグが設けられ、このレッグを回動させて椅子を折り畳むようになっている。ここで、レッグの一方の端に背もたれが固定されて椅子を拡開した状態であるときにユーザーが背をもたれるように形成される。
【０００３】
しかしながら、組立式椅子は、一般に、折り畳み可能にするために、レッグの延長方向と平行に形成された背もたれを設けるため、ひじ掛けを設けることが決して容易ではない。
【０００４】
このため、組立式椅子にひじ掛けを形成するために、大韓民国登録実用新案第４４０４３９号に記載のように、鉄製フレームに着座板、背もたれ、ひじ掛けなどを組み付けることのできる組立式椅子が開発されている。
【０００５】
しかしながら、上記の組立式椅子は、組み付けのために別途の固定手段を必要とするという問題点がある。さらに、このような別途の固定手段は小さなため、一度失われば組立式椅子を組み立てることができなくなるという一層大きな問題を引き起こしてしまう。
【０００６】
さらに、上記の組立式椅子は、着座板または背もたれが密閉されているため、ユーザーが長時間着座している場合には、悪い通風性に起因して、尻部の汗などの人体分泌物が着座板を汚染させて個人の衛生環境を損なってしまうという問題点がある。
【０００７】
加えて、着座板または背もたれが硬い場合に、着座時に尻部骨が硬い個所にぶつかって着座感が良好ではなく、しかも、長時間着座している場合に痛みが生じるという問題点がある。
【先行技術文献】
【特許文献】
【０００８】
【特許文献１】大韓民国登録実用新案第４４０４３９号公報
【発明の概要】
【発明が解決しようとする課題】
【０００９】
本発明は上記の問題点を解消するために案出されたものであり、椅子に着座するときに尻部に接触される着座板部材と背もたれ部材に通気孔を形成して空気の疎通を良好にすることにより、個人の衛生環境を改善することができ、しかも、ユーザーの健康を保護することのできる超簡便な健康用の組立式椅子を提供するところに目的がある。
【００１０】
また、本発明は、着座板部材に尻部の形状と対応する形状を有する表面を凹ませて両尻部の骨が当たる各位置に孔を形成して互いにぶつかり合うことを緩和させ、肛門部位に相当する位置に孔を形成して空気を疎通させて体内で発生する分泌物を排出して尻部の衛生環境を改善することにより、ユーザーに清潔さ及び心地よさを同時に感じさせることのできる超簡便な健康用の組立式椅子を提供するところに他の目的がある。
【００１１】
さらに、本発明は、各構成要素を組み立てて嵌合する方式を採用することにより、別途の固定手段なしに組み立てることのできる組立式椅子を提供するところにさらに他の目的がある。
【００１２】
さらに、本発明は、尻部の形状と対応する凹部を形成することにより、長時間着座していても、硬さではなく、心地よさを感じることのできる組立式椅子を提供するところにさらに他の目的がある。
【００１３】
さらに、本発明は、前記着座板部材の通気孔と対応する開孔を有する座布団をさらに備えることにより、ユーザーの尻部の全体的な体温を保持することのできる組立式椅子を提供するところにさらに他の目的がある。
【００１４】
さらに、本発明は、脚部材の各対が互いに対向する方向に傾いた状態でトレンチが同心軸上に位置するように設けられることにより、構造的に安定した耐久性を有する組立式椅子を提供するところにさらに他の目的がある。
【課題を解決するための手段】
【００１５】
上記の目的を達成するために、本発明は、同心軸上に互いに平行なトレンチが形成可能に設けられた少なくとも２対の脚部材と、前記脚部材の各対に形成されたトレンチに嵌め込まれ、上方に突起が形成された少なくとも２つの横部材と、前記横部材の突起が貫通可能な開口が形成された着座板部材と、前記脚部材の上部に前記脚部材の上端が嵌め込まれる凹溝が形成され、一方の端に水平方向の溝が形成されたひじ掛け部材と、前記ひじ掛け部材の水平方向の溝に嵌め込まれる突起が突設された背もたれ部材と、を備えることを特徴とする組立式椅子を提供する。
ここで、前記着座板部材は、上部の表面が尻部の形状と対応するように凹まれることが好ましい。
【００１６】
また、前記着座板部材は、尻部の形状と対応するように凹まれる両尻部骨と対応する位置と、肛門部位と対応する位置にそれぞれ孔が形成されることが好ましい。
【００１７】
さらに、前記両尻部骨と対応する位置に孔が形成され、前記肛門部位と対応する位置に孔が形成されるが、前記肛門部位と対応する位置に形成された孔の方が、前記両尻部骨と対応する位置に形成された孔よりも高く形成されることが好ましい。
【００１８】
さらに、前記組立式椅子は、前記着座板部材の両尻部と対応する位置及び肛門部位と対応する位置にそれぞれ形成された孔と対応する位置に開孔が形成された座布団をさらに備えることが好ましい。
ここで、前記座布団には、４角部と中央部に固定可能に２本１対の固定紐が形成されることが好ましい。
また、前記脚部材の各対は、互いに対向する方向に傾いた状態でトレンチが同心軸の上に位置するように設けられることが好ましい。
【発明の効果】
【００１９】
本発明に係る組立式椅子は、各構成要素を組み立てて嵌合する方式を採用することにより、別途の固定手段なしに容易に組み立てることができる。
また、本発明に係る組立式椅子は、尻部の形状と対応する凹部を形成することにより、長時間着座していても、硬くない心地よさを感じることができる。
【００２０】
さらに、本発明に係る組立式椅子は、着座板部材に通気孔を形成して発汗を防ぐことにより、個人の衛生環境を改善することができ、ユーザーの健康を保護することができる。
【００２１】
さらに、本発明に係る組立式椅子は、着座板部材の通気孔と対応する開孔を有する座布団をさらに備えることにより、ユーザーの尻部の全体的な体温を保持することができる。
【００２２】
さらに、本発明に係る組立式椅子は、脚部材の各対が互いに対向する方向に傾いた状態でトレンチが同心軸上に位置するように設けられることにより、構造的に安定した耐久性を有する。
【図面の簡単な説明】
【００２３】
【図１】図１は、本発明の一実施形態に係る組立式椅子を示す斜視図である。
【図２】図２は、本発明の一実施形態に係る組立式椅子を示す分解斜視図である。
【図３】図３は、本発明の一実施形態に係る組立式椅子を他の方向から眺めた分解斜視図である。
【図４】図４は、本発明の一実施形態に係る組立式椅子の着座板部材の形状を示すための骨の一部を示す写真である。
【発明を実施するための形態】
【００２４】
以下、図面を用いて本発明の一実施形態に係る組立式椅子について説明する。
【００２５】
本発明の一実施形態に係る組立式椅子は、図１から図３に示すように、本発明の一実施形態に係る組立式椅子は、図１乃至図３に示すように、同心軸上に互いに平行なトレンチ１２が形成可能に設けられた少なくとも２対の脚部材１０と、前記脚部材１０の各対に形成されたトレンチ１２に嵌め込まれ、上方に突起２２が形成された少なくとも２つの横部材２０と、前記横部材２０の突起２２が貫通可能な開口３２が形成された着座板部材３０と、前記脚部材１０の上部に前記脚部材１０の上端の突起１４が嵌め込まれる凹溝４２が形成され、一方の端に水平方向溝４４が形成されたひじ掛け部材４０と、前記ひじ掛け部材４０の水平方向溝４４に嵌め込まれる突起５２が突設された背もたれ部材５０と、を備える。
【００２６】
前記脚部材１０は長手方向に延び、中央に一部の面が切り欠かれたトレンチ１２が形成される。前記脚部材１０は、平行に組み付けられる前記横部材２０によって嵌合可能に少なくとも２対設けられる。前記脚部材１０は、組み付け後に地面に着地させた後に隙間が生じないように下部は丸められることが好ましい。ここで、前記脚部材１０の上端は前記ひじ掛け部材４０の凹溝４２に嵌め込まれた後に、ひじ掛け部材４０の薄肉化を図るために上端に周縁が切り取られた突起１４が形成されることが好ましい。また、前記脚部材１０に形成されたトレンチ１２は、対をなす脚部材１０が互いに対向する方向に傾いた状態で同心軸の上に位置するように形成されることが好ましい。このため、前記トレンチ１２が同心軸の上に位置するときに、下方へ進むほど対応する脚部材１０同士の間隔が広くなって構造的に安定的になるため、耐久性が向上される。
【００２７】
前記横部材２０は、対を成す各前記脚部材１０に形成されたトレンチ１２に嵌設される。このため、前記横部材１０の広さと前記横部材が嵌め込まれる前記脚部材１０に形成されたトレンチ１０の幅は、締まりばめにすることが好ましい。なお、前記横部材２０は、後述する前記着座板部材３０の溝３２に嵌入可能に突起２２が形成される。
【００２８】
前記着座板部材３０には、前記横部材２０の突起２２が貫通可能に開口３２が形成されている。ここで、前記開口３２と前記横部材の突起２２は互いに対応するように断面が形成されて嵌め込まれることが好ましい。ここで、従来には、ユーザーが長時間着座している場合に尻部などに汗が出て着座板を汚染させ、着座板が木材などの硬い材質から製造された場合には着座時に尻部の骨が着座板の表面にぶつかって着座感が良好ではなく、僅かな痛みを引き起こす場合があったが、本実施形態においては、これを克服するために、ユーザーが着座板部材３０に着座するときに尻部の形成と対応する形状に表面を凹ませて尻部骨が当たる位置にそれぞれ孔３０ｂを形成して互いにぶつかり合うことを緩和させ、空気を疎通させ、このとき、肛門部位は尻部骨が当たる個所よりも高い上側部に位置しているため前記尻部に形成された孔３０ａよりは高い位置に孔３０ｂが形成され、各孔３０ａ、３０ｂは、図４に示すように、三角形を形成して着座板部材３０の凹んだ部分と尻部とが互いに対応するため着座時に尻部に空き空間が発生しないため、安定感がある。なお、前記孔３０ａ、３０ｂを介して体内で発生する汗などの分泌物を排出することにより、尻部の衛生環境を改善し、ユーザーは、椅子を利用するときに清潔さ及び心地よい着座感を同時に感じることができる。加えて、ユーザーの血行が円滑になるため、長時間動かずに着座している場合に脚静脈に血栓が生じ、この血栓によって脚や肺における血球の流れが閉塞して呼吸混乱などを引き起こすエコノミークラス症候群を防ぐことができる。このため、長時間着座していても孔３０ａ、３０ｂを介して通風が行われるので汗が出ることを防ぐことができ、その結果、個人の衛生環境を改善することができる。なお、汗によって尻部がただれることが防がれるため、ユーザーの健康を保護することができる。
【００２９】
前記ひじ掛け部材４０は、下部に前記脚部材１０の突起１４が嵌め込まれる凹溝４２が形成されている。前記凹溝４２は、前記脚部材１０が傾いた状態でも脚部材１０の上端が嵌め込まれるように長手方向に延設される必要がある。また、前記ひじ掛け部材４０は、一方の端に水平方向の溝４４が形成される。前記水平方向の溝４４には、前記背もたれ部材５０の突起５２が嵌着可能に嵌め込まれるようになることが好ましい。
【００３０】
前記背もたれ部材５０は、前記ひじ掛け部材４０の水平方向の溝に嵌め込まれる突起が両側に形成されている。また、前記背もたれ部材の背面は、ユーザーの着座時に心地よさを感じるように人体の背と対応する形状である曲面状に形成される。加えて、前記背板には、着座者の背に汗が出ることを防ぐために通孔５４が形成されている。
【００３１】
また、前記着座板部材３０の上部には、座布団６０を載せてもよい。前記座布団６０は、着座板部材３０に形成された孔３０ａ、３０ｂと対応する位置に通風口６０ａ、６０ｂが形成されることが好ましい。このため、前記座布団６０を着座板部材３０の上に設けるため、尻部がただれることを防ぐとともに、冷たくないというメリットがある。このため、女性、老人、若者のように尻部を暖かくして保護せねばならない階層に非常に有用であるといえる。
【００３２】
このとき、座布団６０の使用に際して座布団が動いたり外されたりしない必要があるため、脚部材１０に縛って使用可能に固定紐６２を座布団６０の左右の周縁部に取り付けることがことが好ましい。ここで、各固定紐６２は、座布団６０が固定しやすいように２本１対となっていることが好ましい。
【産業上の利用可能性】
【００３３】
本発明に係る超簡便な健康用の組立式椅子は、椅子に着座するときに尻部に接触される着座板部材と背もたれ部材に通気孔を形成して空気の疎通を良好にすることにより、個人の衛生環境を改善することができ、ユーザーの健康を保護することができる。
【図１】
0006006786.tif 000002
【図２】
0006006786.tif 000003
【図３】
0006006786.tif 000004
【図４】
0006006786.tif 000005